(57)【要約】単回使用注射器は、シールド（２）、シールド内での軸方向移動のために設置され、そして弾性付勢手段（１０）によって後方位置に付勢された、バレル（１）、およびバレル内での軸方向移動のために設置された、プランジャーアセンブリ（３）を備える。弾性ロッキング部材（６）は、バレルが最初に後方に移動することを防止する。流体がバレルから押し出される場合、このバレルは前方に移動し、これによって、後方移動防止手段（１５）を使用不能にし、そして前方移動防止手段（１４）を使用可能にし、その結果、このバレルは後方に移動し得、そして後方位置にロックされて、繰り返しの使用を防止する。
2004535265.tif 000002
【特許請求の範囲】
【請求項１】
単回使用注射器であって、以下：
シールド；
前端部に針を有するバレルであって、該バレルは、前方位置と後方位置との間での該シールド内での軸方向移動のために設置されており、該前方位置において、該針が露出し、そして該後方位置において、該針が覆われる、バレル；
該バレルを該後方位置に付勢するための、弾性付勢手段、
を備え；そして該単回使用注射器は、以下：
後方移動防止手段が、該後方位置への該バレルの後方への移動を最初に防止すること、および
該バレルの前方への移動が、該後方移動防止手段を使用不能にし、その結果、該前方への移動に引き続いて、該弾性付勢手段は、該バレルを該後方位置に付勢し得、該後方位置において、前方移動防止手段は、該バレルの、引き続く前方への移動を防止すること、
を特徴とする、単回使用注射器。
【請求項２】
前記バレルの前記前方への移動が、同時に、前記前方移動防止手段を使用可能にする、請求項１に記載の単回使用注射器。
【請求項３】
単回使用注射器であって、以下：
シールド；
前端部に針を有するバレルであって、該バレルは、前方位置と後方位置との間での該シールド内での軸方向移動のために設置されており、該前方位置において、該針が露出し、そして該後方位置において、該針が覆われる、バレル；
該バレルを該後方位置に付勢するための、弾性付勢手段、
を備え；そして該単回使用注射器は、以下：
該バレルの前方への移動が、前方移動防止手段を使用可能にし、そして該前方への移動に引き続いて、該弾性付勢手段は、該バレルを該後方位置に付勢し得、該後方位置において、該前方移動防止手段は、該バレルの、引き続く前方への移動を防止すること、
を特徴とする、単回使用注射器。
【請求項４】
前記バレルの前記前方への移動が、同時に、後方移動防止手段を使用不能にする、請求項３に記載の単回使用注射器。
【請求項５】
前記後方移動防止手段および前記前方移動防止手段が、前記シールドに付随するロッキング部材上に一体的に配置されている、請求項２または４に記載の単回使用注射器。
【請求項６】
前記ロッキング部材が、弾性であり、そして前記シールドから吊下しており、そして最初、前記バレルと係合しており、そして該バレルの後方への移動を防止し、そして該バレルの前記前方への移動に引き続いて、該弾性のロッキング部材は、該バレルと係合し、そして該バレルの前方への移動を防止するよう適合されている、請求項５に記載の単回使用注射器。
【請求項７】
前記弾性ロッキング部材が、円周上で間隔を空けた、前方に向いた複数のフィンガーから構成されている、請求項６に記載の単回使用注射器。
【請求項８】
前記弾性ロッキング部材が、二叉であり、そして円周上で対向する、前方に向いた一対のフィンガーから構成されている、請求項７に記載の単回使用注射器。
【請求項９】
前記注射器が、前記バレル内での軸方向往復のために設置されたプランジャーアセンブリを備え、該プランジャーアセンブリは、親指係合部分を備え、そして前記シールドが、指係合部分を備え、そして該バレルの内側から流体を押し出すために、該親指係合部分と該指係合部分とを一緒に絞ることにより、該前方向への移動が引き起こされる、請求項１または３に記載の単回使用注射器。
【請求項１０】
前記注射器が、完全に前方の位置の近くで前記バレルを備え、その結果、最初の前方への移動の大きさが、前記弾性付勢手段の影響下での引き続く後方への移動に対して小さい、請求項１または３に記載の単回使用注射器。
【発明の詳細な説明】
【技術分野】
【０００１】
（発明の分野）
本発明は、単回使用注射器に関する。
【背景技術】
【０００２】
（背景技術）
単回使用注射器を使用して、薬物の常用者の間で針を共有することの危険性を低下させること、および健康管理職員などの間での針の穿刺による外傷の危険性を低下させることは、公知である。多くの異なる設計の単回使用注射器が、提唱されている。本発明は、公知の設計より優れたかなりの利点を与える、代替の設計に関する。
【発明の開示】
【課題を解決するための手段】
【０００３】
（発明の要旨）
本発明は、添付の特許請求の範囲による単回使用注射器を提供する。本発明の好ましい特徴は、従属請求項、および以下の好ましい実施形態の説明から明らかである。
【０００４】
本発明は、ここで、好ましい実施形態に関して非限定的な様式で記載される。
【０００５】
（好ましい実施形態の詳細な説明）
図１を参照すると、シールド２、シールド２内での軸方向移動のために設置されたバレル１、およびバレル１内での軸方向往復のために設置されたプランジャー４を備える、単回使用注射器が示されている。
【０００６】
圧縮ばねの形態である、弾性付勢手段１０が、シールド２の前端部の内側と、バレル１の前端部の外側との間に配置され、その結果、弾性付勢手段１０は、バレル１をシールド２に対して後方に付勢する傾向がある。
【０００７】
従来のように、針５が、バレル１の前端部に設置され、そして使用前に、この針は、キャップ７によって覆われている。
【０００８】
シールド２の後端部に規定される空洞内に、弾性ロッキング部材６があり、この弾性ロッキング部材６の形状は、図６を参照して最もよく理解される。
【０００９】
弾性ロッキング部材６は、円周上で対向する、前方に延びる一対の弾性フィンガーから構成され、これらのフィンガーは、シールド２に対して設置される環形状の基部から延びる。
【００１０】
前方に延びる弾性フィンガーの各々は、後方移動防止手段１５および前方移動防止手段１４において、内向きのフックの形態で終結する。
【００１１】
図１をさらに参照すると、弾性ロッキング部材６の環形状の基部は、シールド２に対して設置され、そしてシールド２の本体と、このシールドのための閉鎖キャップ８との間に配置される。閉鎖キャップ８は、注射器の組み立て（これは、本明細書中以下においてさらに記載される）を容易にするために提供される。組み立て後、閉鎖キャップ８は、シールド２に超音波溶接または熱溶接される。
【００１２】
バレル１の後端部は、バレル１の内側に配置された、後方に面した肩部１２を備え、この肩部は、後方移動防止手段１５によって係合され得る。あるいは、後方防止手段１５は、前方に面する肩部を備え、この肩部は、バレル１の最後部の範囲を係合する。図４に示されるように、この係合は、後方移動防止手段１５の前方に面する肩部と、バレル１の最後部の範囲との間で生じる。
【００１３】
バレル１のほぼ円筒形の外側は、前方に面する肩部９を備え、この肩部は、本明細書中以下にさらに詳細に記載されるように、前方移動防止手段１４によって係合され得る。
【００１４】
図１および図４をさらに参照すると、弾性付勢手段１０は、バレル１の後部と係合する後方移動防止手段１５の存在によって、最初、バレル１をシールド２に対して後方の向きに推進しないことが注目される。このことは、図４の詳細な図示を参照して、最もよい理解が得られ得る。
【００１５】
使用の際に、キャップ７がまず取り外されて、針５を露出させ、その後、図２に示されるように、プランジャーアセンブリ３、より具体的には、ゴムプランジャー４を、バレル１に対して引き出すことによって、流体が、バレル１の内側に吸引される。プランジャーアセンブリ３、具体的には、ゴムプランジャー４の、バレル１内での後方への移動が、プランジャー４とバレル１の内側との間に摩擦力を引き起こし、この摩擦力が、バレル１をシールド２に対して後方の方向に推進する傾向があることが理解される。しかし、シールド２に対するバレル１の後方への移動は、図４に最良に示されるように、後方移動防止手段１５とバレル１の後部との係合によって、防止され続ける。
【００１６】
この時点で、好ましい実施形態は、バレル１の内側に流体がまだ存在しない状態で使用者に提供される注射器を参照して記載されるが、注射器は、図２に示されるような状態で使用者に提供され得ることに注目することは、価値がある。換言すれば、注射器は、図２に示されるような、予め充填された構成で提供され得る。
【００１７】
図２および図４をさらに参照すると、バレル１がシールド２対して前方に移動し、これによって、弾性付勢手段１０を圧縮するとすぐに、後方移動防止手段１５がバレル１の後部から脱係合することが適切であり、そしてこの段階において、弾性ロッキング部材６の前方に突出するフィンガーが、弾性であり、かつ外向きに跳ね返る傾向があり、その結果、バレル１が引き続いてシールド２に対して後方に移動するにつれて、後方移動防止手段１５は、バレル１の後部と再係合しないことに注目することが、重要である。換言すれば、図２と図３とを比較して参照すると（または図４と図５とを比較して参照すると）、弾性ロッキング部材６の前方に突出するフィンガーは、最初、図２および４に示されるように、部分的に切頭円錐形の構成を呈する。しかし、バレル１が前方に移動し、そしてフィンガーがバレル１の後部から脱係合すると、これらのフィンガーは、図３および５に示されるような部分的に円筒形の構成に外向きに跳ね返る。
【００１８】
バレル１の内側から流体を押し出す作用は、バレル１をシールド２に対して前方に移動させ、これによって、弾性付勢手段１０を圧縮することが理解される。この点に関して、図１または図２を参照すると、この注射器は、バレルが完全に前方の位置ではなく、この前方の位置に近く隣接した状態で使用者に提供され、その結果、注射の開始の間に、バレル１のほんの少量の前方への移動が起こることが注目される。
【００１９】
流体を患者に注射する作用（すなわち、プランジャーアセンブリ３の親指係合部分とシールド２の指係合部分１１とを一緒に絞ること）により、バレル１が完全に前方の位置に移動され、これによって、後方移動防止手段１５の脱係合および使用不能化が生じる。注射が完了し、そして使用者によってプランジャーアセンブリ３の親指係合部分およびシールド２の指係合部分１１に付与される絞り力が完了されるとすぐに、弾性付勢手段１０は、バレル１をシールド２に対して後方に、図３に示される完全に後方の構成に推進し、この構成で、このバレルは、ここで記載されるように、前方移動防止手段１４によってロックされる。
【００２０】
図３および５を参照すると、弾性ロッキング部材６の、前方に突出するフィンガー、より具体的には、前方移動防止手段１４は、バレル１の外側に形成された、前方に面する肩部９に係合していることが注目される。前方移動防止手段１４と前方に面する肩部９との間の、この内側係合は、シールド２に対するバレル１の引き続く前方への移動を防止し、従って、針５の引き続く露出および単回使用注射器の繰り返しの使用を防止する。
【００２１】
弾性ロッキング部材６の弾性フィンガーは、バレル１の後部またはバレルの外側の前方に面する肩部９のいずれとも係合していない場合に、ニュートラル位置すなわち自然の位置を呈することが理解される。この自然の位置は、これらのフィンガーが、後方移動防止手段１５がバレル１の後部と係合しないように十分に間隔を空けているが、前方移動防止手段１４がバレル１の外側の前方に面する肩部９と係合しないほどには間隔を空けていない、位置である。
【００２２】
要約すると、注射の作用の間に、プランジャーアセンブリ３の親指係合部分と指係合部分１１とを一緒に絞ることによって、シールド２に対するバレル１の小さな前方への移動が起こり、この移動によって、弾性ロッキング部材６のフィンガーが、バレル１の後部から脱係合する。この注射の完了後、バレル１は、圧縮ばねによって、完全に後方の位置まで付勢され、この位置において、針５は覆われており、そしてこの位置において、バレル１は、バレル１の外側の前方に面する肩部９と係合した弾性ロッキング部材６のフィンガー、特に、前方移動防止手段１４によってロックされる。
【００２３】
本発明による単回使用注射器の製造は、最初に弾性付勢手段１０、次いで針５、バレル１およびプランジャーアセンブリ３が、シールド２の後方からシールド２に挿入されるという点で、非常に単純である。その後、弾性ロッキング部材６が図１に示されるように配置され、このとき後方移動防止手段１５は、示されるように、バレル１の後部と係合する。最後に、閉鎖キャップ８が、シールド２に超音波溶接または熱溶接される。
【００２４】
好ましい実施形態の構成は、シールドに対するバレルの前方への移動（これは、注射の間に起こる）が、同時に、後方移動防止手段１５を使用不能にし、かつ前方移動防止手段１４を使用可能にする（これらの各々は、弾性ロッキング部材６の前方に突出するフィンガーに一体的に配置されている）点で、特に有利であることが理解される。注射が完了するとすぐに、弾性付勢手段１０は、バレルをシールドに対して後方に推進し、引き続く使用を防止するようにロックされた位置にする。
【００２５】
もちろん、注射が起こる前に、シールド２に対するバレル１の前方への移動が不注意で起こらないことを確実にすることが、重要である。例えば、シールド２に対するバレル１の前方への移動が、注射器の移送、または予備操作の間に起こらないことが、重要である。この目的で、取り外し可能なスペーサーが、閉鎖キャップ８の後部と、プランジャーアセンブリ３の親指係合部分との間に挿入され得る。あるいは、図１に示される配置である場合に、プランジャーアセンブリ３の親指係合部分が閉鎖キャップ８の後部に接するように、プランジャーロッドが短くされ得る。
【００２６】
本発明は、注射器の操作が完全に従来のものであり、そしてこのデバイスをロックして引き続く使用を防止するために、不要な操作が必要とされない点で、かなりの経済的利点を有することが理解される。
【図面の簡単な説明】
【００２７】
【図１】図１〜３は、本発明による単回使用注射器の好ましい実施形態の、連続的な長手方向断面切取図である。
【図２】図１〜３は、本発明による単回使用注射器の好ましい実施形態の、連続的な長手方向断面切取図である。
【図３】図１〜３は、本発明による単回使用注射器の好ましい実施形態の、連続的な長手方向断面切取図である。
【図４】図４は、弾性ロッキング部材の詳細を示す、図２の拡大図である。
【図５】図５は、弾性ロッキング部材の詳細を示す、図３の拡大図である。
【図６】図６は、弾性ロッキング部材の斜視図である。
【国際公開パンフレット】
2004535265.tif 000003
2004535265.tif 000004
2004535265.tif 000005
2004535265.tif 000006
2004535265.tif 000007
2004535265.tif 000008
2004535265.tif 000009
2004535265.tif 000010
2004535265.tif 000011
2004535265.tif 000012
2004535265.tif 000013
2004535265.tif 000014
2004535265.tif 000015
2004535265.tif 000016
2004535265.tif 000017
2004535265.tif 000018
【手続補正書】
【提出日】平成14年2月6日(2002.2.6)
【手続補正１】
【補正対象書類名】特許請求の範囲
【補正対象項目名】全文
【補正方法】変更
【補正の内容】
【特許請求の範囲】
【請求項１】
単回使用注射器であって、以下：
シールド；
前端部に針を有するバレルであって、該バレルは、前方位置と後方位置との間での該シールド内での軸方向移動のために設置されており、該前方位置において、該針が露出し、そして該後方位置において、該針が覆われる、バレル；
該バレルを該後方位置に付勢するための、弾性付勢手段、
を備え；そして該単回使用注射器は、以下：
後方移動防止手段が、該後方位置への該バレルの後方への移動を最初に防止すること、および
該バレルの前方への移動が、該後方移動防止手段を使用不能にし、その結果、該前方への移動に引き続いて、該弾性付勢手段は、該バレルを該後方位置に付勢し得ること、および
次いで、前方移動防止手段が、該バレルの、引き続く前方への移動を防止すること、および
該後方移動防止手段および該前方移動防止手段が、該シールドに付随するロッキング部材上に一体的に配置されていること、および
弾性の該ロッキング部材が、最初、該バレルと係合しており、そして該バレルの後方への移動を防止し、そして該バレルの該前方への移動に引き続いて、該弾性のロッキング部材は、該バレルと係合し、そして該バレルの前方への移動を防止すること、
を特徴とする、単回使用注射器。
【請求項２】
前記弾性ロッキング部材が、円周上で間隔を空けた、前方に向いた複数のフィンガーから構成されている、請求項１に記載の単回使用注射器。
【請求項３】
前記弾性ロッキング部材が、二叉であり、そして円周上で対向する、前方に向いた一対のフィンガーを備える、請求項２に記載の単回使用注射器。
【請求項４】
各フィンガーが、内側に向くフックを備える、請求項２に記載の単回使用注射器。
【請求項５】
前記注射器が、前記バレル内での軸方向往復のために設置されたプランジャーアセンブリを備え、該プランジャーアセンブリは、親指係合部分を備え、そして前記シールドが、指係合部分を備え、そして該バレルの内側から流体を押し出すために、該親指係合部分と該指係合部分とを一緒に絞ることにより、該前方向への移動が引き起こされる、請求項１に記載の単回使用注射器。
【請求項６】
前記注射器が、完全に前方の位置の近くで前記バレルを備え、その結果、前記前方への移動の大きさが、前記弾性付勢手段の影響下での引き続く後方への移動に対して小さい、請求項１に記載の単回使用注射器。
【国際調査報告】
2004535265.tif 000019
2004535265.tif 000020